(57)【特許請求の範囲】
【請求項１】
底面及び側壁を有するボトムフレームと、
前記ボトムフレームの前記底面の上に配置され、複数の溝部を有する一体型導光板と、
前記ボトムフレームの前記底面の上に配置された複数の反射シートと、
モジュールボード及び複数の発光ダイオードを含む複数の発光モジュールと、
前記一体型導光板と前記ボトムフレームとを結合する結合部と、を含み、
前記反射シートは、前記対応する複数の溝部の下にそれぞれ配置され、
前記発光モジュールは、前記対応する複数の溝部の下にそれぞれ配置され、
前記複数の溝部のそれぞれは、前記ボトムフレームの前記底面の上に第１方向に延長され、
前記複数の反射シートのそれぞれは、前記ボトムフレームの前記底面の上に前記第１方向に延長され、
前記複数の反射シート及び前記複数の発光モジュールは、前記ボトムフレームの前記底面の上に前記第１方向に交替に延長され、
前記結合部は、前記ボトムフレームの隣り合う二つの側壁が角で段差を有し、前記段差の上に前記一体型導光板の角を覆うガイドモールドが配置された表示装置。
【請求項２】
前記結合部は、四角形の形状を有し、少なくとも二つ以上の角に配置される請求項１に記載の表示装置。
【請求項３】
前記ガイドモールドは、
前記一体型導光板の角を覆う上部面と、
前記上部面から垂直に切曲されて延長され、前記ボトムフレームの段差のある前記側壁と位置決めされている二つの側面と、を含む請求項２に記載の表示装置。
【請求項４】
前記結合部は、前記ガイドモールドの上部面及び前記ボトムフレームの底面に互いに位置決めされている締結孔をそれぞれ含む請求項２または３に記載の表示装置。
【請求項５】
前記結合部は、
前記一体型導光板の角で隣り合う二つの辺が垂直に収斂する突起ネックと、
前記突起ネックから延長され、前記突起ネックより広い幅を有するガイド突起と、を含む請求項２〜４のいずれか一項に記載の表示装置。
【請求項６】
前記ボトムフレームの側壁は、角で前記一体型導光板の前記ガイド突起を露出する開口部を有し、前記側壁から延長され、前記ガイド突起の一面に沿って屈曲されるガイド部材を更に含む請求項５に記載の表示装置。
【請求項７】
前記一体型導光板を前記ボトムフレームの前記底面に位置決めさせる位置決め手段を更に含む請求項１〜６のいずれか一項に記載の表示装置。
【請求項８】
前記位置決め手段は、前記一体型導光板と前記ボトムフレームの側壁とが所定の離隔距離を有し、前記ボトムフレームの側壁から前記一体型導光板の側面に向かってガイド突起が突出することにより、形成されるものである請求項７に記載の表示装置。
【請求項９】
前記位置決め手段は、
前記一体型導光板の下面から突出される少なくとも一つの突起と、
前記ボトムフレームの底面に形成されて前記突起を受容する溝と、を含む請求項７に記載の表示装置。
【請求項１０】
前記複数の発光ダイオードは前記溝部に収容され、前記複数の発光ダイオードから発光される光が前記溝部の側面に入射する請求項１〜９のいずれか一項に記載の表示装置。
【請求項１１】
前記一体型導光板の上に配置され、一つの画面を複数の表示領域で定義して前記一体型導光板から光を照射される表示パネルを含む請求項１〜１０のいずれか一項に記載の表示装置。
【発明の詳細な説明】
【背景技術】
【０００１】
本発明は、バックライトユニット及びこれを含む表示装置に関するものである。特に、本発明は、発光ダイオードをバックライトユニットで形成する表示装置に関するものである。
【０００２】
発光ダイオード（ＬＥＤ：Ｌｉｇｈｔ  Ｅｍｉｔｔｉｎｇ  Ｄｉｏｄｅ）は、ＧａＡｓ系列、ＡｌＧａＡｓ系列、ＧａＮ系列、ＩｎＧａＮ系列及びＩｎＧａＡｌＰ系列などの化合物半導体材料を利用して発光源を構成することができる。
【０００３】
このような発光ダイオードは、パッケージ化されて多様な色を放出する発光装置として利用されており、発光装置は、カラーを表示する点灯表示機、文字表示機及び映像表示機など、多様な分野において光源として使用されている。
【発明の概要】
【発明が解決しようとする課題】
【０００４】
実施例は、新たな構造を有するバックライトユニット及びこれを含む表示装置を提供する。
【０００５】
実施例は、スリムなバックライトユニット及びそれを含む表示装置を提供する。
【０００６】
実施例は、分割駆動方式を適用することができるバックライトユニット及びこれを含む表示装置を提供する。
【課題を解決するための手段】
【０００７】
実施例によるバックライトユニットは、一つの画面を複数の表示領域に定義する液晶パネルに光を照射するバックライトユニットにおいて、前記バックライトユニットは、底面と側壁を有するボトムフレーム、前記ボトムフレームの前記底面の上に配置され、前記液晶パネルの表示領域に対応する複数の発光領域を定義する複数の発光ダイオード及び前記複数の発光ダイオードを覆い、一つの画面に対応される複数の前記発光領域に配置される一体型導光板を含む。
【０００８】
一方、実施例は、四角形の底面と側壁を有するボトムフレームと、前記ボトムフレームの底面の上に形成されて分割駆動される複数の発光ダイオードと、複数の前記発光ダイオードを全て覆って形成されている一体型導光板と、前記導光板の上に配置される表示パネルと、を含む。
【発明の効果】
【０００９】
本発明によると、発光領域を分割して駆動するバックライトユニットにおいて、導光板を表示パネルの画面に対応される一体型で形成することで、導光板の間の暗線が発生せず、スリムなバックライトユニットの構成が可能である。
【００１０】
また、本発明は、ローカルディミング、インパルシブなどのような分割駆動方式を提供して消費電力を節減することができるだけでなく、画面コントラスト（ｃｏｎｔｒａｓｔ）を改善して表示装置の画質を改善することができる。
【００１１】
また、導光板を一体化して形成することで製造単価を減らすことができ、結合部を角領域に形成することで組立が容易である。
【図面の簡単な説明】
【００１２】
【図１】本発明の第１実施例による表示装置の分解斜視図である。
【図２】図１の表示装置をＩ−Ｉ’線に沿って切断した断面図である。
【図３】図１の光源部を示す斜視図である。
【図４】図２の表示装置を単純化した断面図である。
【図５】本発明による表示装置のバックライトユニットの分割駆動方式を示す平面図である。
【図６】図１の実施例における結合部の一例を示す斜視図である。
【図７】図６の結合部をＩＩ−ＩＩ’線に沿って切断した断面図である。
【図８】図６の結合部の他の例を示す正面図である。
【図９】図８に示した結合部の他の例を示す斜視図である。
【図１０】本発明の第２実施例による表示装置の断面図である。
【図１１】図１の表示装置をＩ−Ｉ’線に沿って切断した断面図であり、位置決め（あるいは整列）手段の第１適用例を示すものである。
【図１２】本発明の第３実施例の変形例の断面図である。
【図１３】第３実施例の位置決め手段に対する第２適用例を示す斜視図である。
【図１４】図１３の位置決め手段の上面図である。
【図１５】第３実施例の位置決め手段に対する第３適用例を示す断面図である。
【図１６】第３実施例の位置決め手段に対する第４適用例を示す断面図である。
【図１７】第３実施例の位置決め手段に対する第５適用例を示す斜視図である。
【発明を実施するための形態】
【００１３】
以下では、添付した図面参照して、本発明の実施例に対して本発明の属する技術分野における通常の知識を有する者が容易に実施できるように詳しく説明する。しかし、本発明は様々な相異なる形態で具現されてもよく、ここで説明する実施例に限ることはない。
【００１４】
明細書全体において、ある部分がある構成要素を「含む」とすると、これは特に反対される記載がない限り、他の構成要素を除外するということではなく、他の構成要素を更に含んでもよいということを意味する。 
【００１５】
そして、図面において、本発明を明確に説明するため、説明と関係のない部分は省略し、多数の層及び領域を明確に表現するために厚さを拡大して表しており、明細書全体を介して類似した部分に対しては、類似した図面符号を付けている。
【００１６】
層、膜、領域、板などの部分が他の部分の「上に」あるとすると、これは他の部分の「すぐ上に」ある場合だけでなく、その中間に更に他の部分がある場合をも含む。反対に、ある部分が他の部分の「すぐ上に」あるとすると、中間に他の部分がないということを意味する。
【００１７】
本発明は、表示装置において、分割駆動するバックライトユニットを構成する導光板を表示パネルの全体画面と対応する一体型（ｏｎｅ‐ｂｏｄｙ）で形成するものである。
【００１８】
以下では、図１乃至図４を参照して、本発明の第１実施例による表示装置について説明する。
【００１９】
図１は、本発明の第１実施例による表示装置の分解斜視図であり、図２は、図１の表示装置をＩ−Ｉ’線に沿って切断した断面図であり、図３は、図１の光源部を示す斜視図であり、図４は、図２の表示装置を単純化した断面図である。
【００２０】
第１実施例による表示装置は、バックライトユニットと、バックライトユニットから光を提供されて映像をディスプレイする表示パネルと、を含む。従って、以下では、表示装置を説明することでバックライトユニットも共に説明する。 
【００２１】
図１乃至図３を参照すると、第１実施例による表示装置は、ボトムフレーム１０と、ボトムフレーム１０内に形成される発光モジュールと、反射シート２５と、導光板３０と、を含む。
【００２２】
このような表示装置は、発光モジュール、反射シート２５及び発光モジュールと反射シート２５の上に導光板３０が形成されて発光部を形成し、導光板３０の上に光学シート４０、光学シート４０の上に表示パネル６０、表示パネル６０の上にトップフレーム７０が形成される。
【００２３】
ボトムフレーム１０は、互いに向かい合う二つの長辺及び長辺と垂直で互いに向かい合う二つの短辺を有する直角形（矩形）の平面状を有する底面１１と、底面１１から垂直に延長された４部分の側壁１２と、を含む。  
【００２４】
このようなボトムフレーム１０は、光学シート４０の上に形成される固定部材５０と結合し、ボトムフレーム１０内に発光モジュール、反射シート２５、導光板３０及び光学シート４０を収納する。
【００２５】
ボトムフレーム１０は、例えば、金属材質で形成されてもよく、剛性を強化するため、底面１１に複数のブロック部（図示せず）を形成してもよい。
【００２６】
このようなボトムフレーム１０の内には、底面１１の上に反射シート２５と複数の発光モジュールが交替にＸ軸方向に向かって延びている。 
【００２７】
それぞれの発光モジュールはバー（ｂａｒ；棒状）の形態を有し、Ｘ軸方向に伸びているモジュール基板２０及びそれぞれのモジュール基板２０の上に行を成して形成されている複数の発光ダイオード２１を含む。
【００２８】
モジュール基板２０は、メタルコアＰＣＢ、ＦＲ−４  ＰＣＢ、一般ＰＣＢ，フレキシブル基板又はセラミック基板などで形成され、実施例の技術的範囲内で多様に変更されてもよい。  
【００２９】
モジュール基板２０は、導光板３０に光を提供するためそれぞれの発光ダイオード２１に電源を提供し、発光ダイオード２１を個別的に駆動してもよい。
【００３０】
一方、発光モジュールは、図示したようにバーの形態で複数個が配置されるか、ボトムフレーム１０の前面に対応される大きさの単一基板として形成されてもよい。
【００３１】
モジュール基板２０に配列されている複数の発光ダイオード２１は、モジュール基板２０に対して側面に光を放出する側面発光タイプ（ｓｉｄｅ  ｖｉｅｗ）として導光板３０の溝部３１の内に配置され、溝部３１の側面に光を放出する。
【００３２】
発光ダイオード２１は、赤色、青色、緑色、白色などのようなカラーのうち、少なくとも一つのカラーを放出する有色ＬＥＤであるか、ＵＶ  ＬＥＤで具現されてもよい。この際、有色ＬＥＤは、赤色ＬＥＤ、青色ＬＥＤ、緑色ＬＥＤ、白色ＬＥＤを含んでもよく、このような発光ダイオード２１の配置及び放出光は、実施例の技術的範囲内で変更されてもよい。
【００３３】
反射シート２５は、反射材、反射金属板などで構成され、導光板３０から漏れる光を再反射する。このような反射シート２５は、モジュール基板２０の間に露出されるように形成され、図２のように、分離されている複数個の反射シート２５がモジュール基板２０の間の離隔領域に形成されてもよい。 
【００３４】
このような発光部とボトムフレーム１０との間には、複数の放熱部材（図示せず）などが更に形成されてもよい。 
【００３５】
一方、表示装置は、複数の発光モジュール及び複数の反射シート２５の上に発光ダイオード２１から放出される光を拡散及び反射し、面光源で表示パネル６０に照射する導光板３０が形成されている。
【００３６】
このような導光板３０は上面及び下面を含み、面光源が発生する上面は平らであり、下面には発光ダイオード２１を受容するための複数の溝部３１が形成される。 
【００３７】
溝部３１は、第１面３１ａ、第２面３１ｂ及び第１面３１ａと第２面３１ｂが接する交線３１ｃで形成されるエッジ型（ｅｄｇｅ  ｔｙｐｅ）を有する。
【００３８】
第１面３１ａは、導光板３０の平面に対して所定の角度で傾いている斜面であってもよく、第２面３１ｂは、導光板３０の平面に対して垂直な面であってもよい。
【００３９】
第２面３１ｂは、発光ダイオード２１の光を放出する側面と向かい合う入射面であり、第１面３１ａである斜面は、入射面である第２面３１ｂに入射した光を導光板３０の上面にガイド(案内)する。
【００４０】
交線３１ｃは、溝部３１の長さ方向の長さと同じである。即ち、一つの溝部３１が一行を形成する複数の発光ダイオード２１を受容する場合、交線３１ｃは導光板３０の一端から他端までの長さを有してもよい。
【００４１】
この際、導光板３０の先端の溝部３１のうち、発光ダイオード２１の光の放出方向と反対方向の先端に位置する溝部３４（図４の円状の点線）は、端面が四角形を成すよう形成されてもよい。 
【００４２】
図２乃至図４のように、導光板３０の溝部３１に収納されている発光ダイオード２１は、溝部３１の第２面３１ｂに近接して配置されており、近接した第２面３１ｂに光を放出する。また、反射シート２５は溝部３１の第１面３１ａの下に形成され、入光面である第２面３１ｂには形成されない。
【００４３】
このように、導光板３０の下面に複数の溝部３１を形成し、各溝部３１に少なくとも一つ以上の発光ダイオード２１を配置して、向上された光均一性を提供すると共に分割駆動が可能である。
【００４４】
このような導光板３０は、複数の発光領域（ＥＡ）（ｅｍｉｔｔｉｎｇ  ａｒｅａ）で分割されており、それぞれの発光領域の大きさは、それぞれの発光領域に光を放出する発光ダイオード２１の数によって規定される。
【００４５】
即ち、図１のようにそれぞれの発光ダイオード２１が個別的に駆動する場合、発光領域は一つの発光ダイオード２１が位置している導光板３０の部分であってもよく、これとは異なって、複数の発光ダイオード２１が同時に駆動する場合、同時に駆動される複数の発光ダイオード２１が位置する導光板３０の部分の合計が一つの発光領域として定義されてもよい。
【００４６】
このような導光板３０は、発光領域ごとに分離されている本体を有せず、ボトムフレーム１０内に形成された複数の発光ダイオード２１を全て覆う一体型で形成されている。
【００４７】
即ち、導光板３０は分割されている複数の発光領域を含んでいるが、これは物理的に分割されているわけではなく、該当発光領域に位置する発光ダイオード２１の駆動によるものである。
【００４８】
このように、表示パネル６０の一つの画面に対応する導光板３０を分割して駆動しながら一体型で形成する場合、発光領域ごとに物理的に分離されて発生していた導光板３０の間の暗線が発生せず、締結部分が単純になるため、スリムなバックライトユニットの提供が可能である。
【００４９】
また、本発明は、ローカルディミング、インパルシブなどのような分割駆動方式を提供して消費電力を節減できるだけでなく、画面コントラストを改善して表示装置の画質を改善することができる。
【００５０】
また、本発明は、一体に形成された導光板３０を利用して分割駆動することで、分割された発光領域を介して光量分布を明確に調節することができる。また、発光ダイオード２１を領域別に駆動させることで、分割された発光領域ごとに異なる輝度を照射することができ、表示装置は優秀な映像美を有することができる。
【００５１】
このような導光板３０は透明な材質で形成され、例えば、ＰＭＭＡ（ｐｏｌｙｍｅｔｈｌ  ｍｅｔａａｃｒｙｌａｔｅ）のようなアクリル樹脂系列、ＰＥＴ（ｐｏｌｙｅｔｈｙｌｅｎｅ  ｔｅｒｅｐｈｔｈａｌａｔｅ）、ＰＣ（ｐｏｌｙ  ｃａｒｂｏｎａｔｅ）及びＰＥＮ（ｐｏｌｙｅｔｈｌｅｎｅ  ｎａｐｈｔａｌａｔｅ）樹脂のうちいずれか一つを含んでもよい。
【００５２】
一体型導光板３０は、一つの画面を形成する表示パネル６０に対して一体に射出成形方式又は圧出方式で形成されてもよい。
【００５３】
一方、導光板３０の上面には、拡散パターン（図示せず）が形成されてもよい。
【００５４】
導光板３０の上には、光学シート４０が配置される。 
【００５５】
例えば、光学シート４０は、第１拡散シート４１と、プリズムシート４２と、第２拡散シート４３と、を含んでもよい。拡散シート４１、４３は、導光板３０から出射された光を拡散させ、拡散された光はプリズムシート４２によって発光領域に集光される。ここで、プリズムシート４２は、水平又は／及び垂直プリズムシート、一枚以上の輝度強化フィルムなどを利用して選択的に構成してもよい。  
【００５６】
このような光学シート４０は形成されなくてもよく、一つの拡散シート４１、４３のみが形成されるか、一つのプリズムシート４２のみが形成されてもよい。光学シート４０の数と種類は、要求される輝度特性によって多様に選択されてもよい。
【００５７】
光学シート４０の上には、支持部材５０が形成されている。
【００５８】
このような支持部材５０はボトムフレーム１０と結合され、反射シート２０、発光モジュール、導光板３０及び光学シート４０がボトムフレーム１０に密着されて受容されるようにし、上部の表示パネル６０を支持する。
【００５９】
このような支持部材５０は、例えば、合成樹脂材質又は金属材質で形成されてもよい。
【００６０】
支持部材５０の上に、表示パネル６０が配置されている。  
【００６１】
表示パネル６０は、導光板３０から照射された光によってイメージ情報を表示するもので、例えば、液晶表示パネル（ｌｉｑｕｉｄ  ｃｒｙｓｔａｌ  ｄｉｓｐｌａｙ  ｐａｎｅｌ）で具現されてもよい。表示パネル６０は、上部基板と、下部基板と、両基板の間に介在される液晶層と、を含み、上部基板の上部面及び下部基板の下部面にそれぞれ密着された偏光シートを更に含んでもよい。
【００６２】
表示パネル６０は、ローカルディミング駆動方式又はインパルシブ駆動方式に対応して複数の表示領域（ＤＡ、ｄｉｓｐｌａｙ  ａｒｅａ）に分割されて駆動されてもよく、この際、表示パネルの表示領域と導光板３０の発光領域は、図４のように対応されてもよい。 
【００６３】
表示パネル６０の上に、トップフレーム７０が形成されている。
【００６４】
トップフレーム７０は、表示装置の前面に配置される前面部と、前面部から垂直方向に切曲されて表示装置の側面に配置される側面部と、を含み、側面部が支持部材５０とスクリュ（図示せず）などの結合部材を介して結合されてもよい。 
【００６５】
図１乃至図４に示したように、本発明の第１実施例による表示装置は、表示パネル６０の分割された表示領域に対応して一体化された導光板を含むバックライトユニットも分割駆動を行う。
【００６６】
以下では、図５を参照してバックライトユニットの分割駆動を説明する。
【００６７】
図５は、本発明による表示装置のバックライトユニットの分割駆動方式を示す平面図である。
【００６８】
図１乃至図４の表示装置のバックライトユニットは、分割駆動方式で駆動されてもよく、分割駆動方式は、ローカルディミング方式又はインパルシブ方式などを含んでもよい。
【００６９】
表示装置がローカルディミング方式で駆動される場合、表示パネル６０は複数の表示領域で分割されており、これによって発光部も複数の発光領域を有する。
【００７０】
それぞれの発光領域は、図５のように隣り合う２つの発光ダイオード２１が位置する導光板３０の部分（Ａ）で定義されてもよく、これとは異なって、それぞれの発光ダイオード２１が一つの発光領域を定義するか、Ｎ×Ｍ（Ｎ，Ｍは任意の整数）個の発光ダイオード２１が一つの発光領域を定義してもよい。 
【００７１】
それぞれの発光領域に位置する少なくとも一つの発光ダイオード２１の輝度は、各発光領域のグレーピーク値によって個別的に調節されてもよく、ローカルディミング方式で駆動される際、選択された発光領域である導光板３０の部分（Ａ）に該当する発光ダイオード２１を選択的に駆動させる。 
【００７２】
一方、表示装置がインパルシブ方式で駆動される場合、分割されている複数の発光領域は表示パネルと時間的に同期化され、順次的に点灯されてもよい。
【００７３】
このような表示装置の分割駆動は、発光ダイオード２１の回路設計に従って多様に変更されてもよく、これに対して限ることはない。
【００７４】
以下では、図５のように分割駆動を行う表示装置に図１乃至図４のように一体型導光板３０を形成する場合、大面積の画面に対応する一体型導光板３０を固く結合するための構造を図６乃至図９を参照して説明する。
【００７５】
一体化された導光板３０を含む表示装置は、ボトムフレーム１０と一体型導光板３０との結合を容易にするため、角領域に結合部を含む。
【００７６】
図６は、第１実施例における結合部の一例を示す斜視図であり、図７は図６の結合部をＩＩ−ＩＩ’線に沿って切断した断面図である。
【００７７】
図６及び図７を参照すると、本発明による表示装置は、角領域に形成される結合部を含む。
【００７８】
このような結合部は、導光板３０の角領域と、ボトムフレーム１０の角領域と、ガイドモールド１５と、を含む。
【００７９】
結合部内におけるボトムフレーム１０の角領域は、図５のように二つの側壁１２の所定の高さまで除去され、段差を有する。
【００８０】
ガイドモールド１５は、角領域で導光板３０の角を覆い、ボトムフレーム１０の段差のある側壁１２と位置決め（あるいは整列）されるように形成されている。
【００８１】
即ち、ガイドモールド１５は、導光板３０の角を覆う上面及び上面の隣り合う二つの辺から垂直に切曲され、ボトムフレーム１０の段差のある側壁１２と位置決めされている二つの隣り合う側面を有する。
【００８２】
このようなガイドモールド１５の上面には締結孔１６が形成されており、締結孔１６は、ボトムフレーム１０の底面１１に形成されている締結孔１１ａと位置決めされている。
【００８３】
このように、ガイドモールド１５の締結孔１６とボトムフレーム１０の締結孔１１ａがスクリュ（図示せず）などの結合部材を介して組み立てられ、ガイドモールド１５は一体型導光板３０をボトムフレーム１０に固定させる。
【００８４】
この際、導光板３０の角領域は、図６のように、ガイドモールド１５の締結孔１６と位置決めされないように締結孔１６の形の上に陥没されてもよい。
【００８５】
一方、一体型導光板３０を有する表示装置は、図８及び図９に示した結合部を有してもよい。 
【００８６】
図８は、図６の結合部の他の例を示す正面図であり、図９は、図８に示した結合部の他の例を示す斜視図である。 
【００８７】
図８及び図９を参照すると、ボトムフレーム１０の側壁１２は一定の厚さを有し、底面１１と並行するように外側に延長されて垂直に切曲される羽根面１３を含み、図６のように角部を開放する段差を有する。
【００８８】
導光板３０は図８及び図９のように、角を成す隣り合う二つの辺が互いに垂直に収斂する領域に狭い幅を有する突起ネック３７を含み、突起ネック３７から延長され、突起ネック３７より広い幅を有するガイド突起３３を含む。このようなガイド突起３３は、ボトムフレーム１０の側壁１２の段差が形成する開放された角部分を介して外部に突出されており、突出されたガイド突起３３の先端は面取りされている。
【００８９】
このように、角領域で導光板３０が突起ネック３７より広い幅を有するガイド突起３３を含むことで、ガイド突起３３がボトムフレーム１０の段差があって開放された側壁１２の間に差し込まれて結合される。
【００９０】
この際、ボトムフレーム１０は、側壁１２とガイド突起３３の側面が接する領域に、側壁１２の段差辺から延長されてガイド突起３３の側面に沿って屈曲されるガイド部材１７を含む。
【００９１】
このようなガイド部材１７は、角領域を形成する二つの側壁１２に全て形成されており、各側壁１２と接するガイド突起３３の側面に沿って屈曲されて形成され、段差による導光板３０のスクラッチを防止する。 
【００９２】
図８及び図９に示した結合部は、図６及び図７に示したようにガイドモールド（図示せず）を更に含んでもよく、この際、締結孔１４はボトムフレーム１０の側壁１２の羽根面１３の上に形成され、ガイドモールドに形成される締結孔とスクリュ（図示せず）などで組み合わせることができる。
【００９３】
このような表示装置の結合部は、一体型導光板３０に対して対角線の上で互いに向かい合う二つの角領域に形成されていてもよく、４つの角領域に全て形成されてもよい。
【００９４】
このように、対角線の上で向かい合う二つの角領域に一体型導光板３０を固定する結合部を形成することで、一つの画面に対応する一体型導光板３０を撓みなくボトムフレーム１０と容易に締結することができる。
【００９５】
以下では、図１０を参照して、本発明の第２実施例による一体型導光板３０を有する表示装置を説明する。
【００９６】
図１０は、本発明の第２実施例による表示装置の断面図である。
【００９７】
図１０に示した表示装置は、図１乃至図４に示した表示装置のように、導光板３０の上に光学シート４０と、固定部材５０と、表示パネル６０と、トップフレーム７０と、を含み、これに対する説明は省略する。
【００９８】
図１０に示した表示装置は、ボトムフレーム１０の上に反射シート２５及び発光モジュールを含み、反射シート２５及び発光モジュールを覆う一体型導光板３０を含む。
【００９９】
この際、一体型導光板３０は、面光源を表示パネル６０に提供する平らな上面と、複数の溝部３５が形成されている下面と、を含む。
【０１００】
溝部３５は、断面が四角形を有するように形成されており、溝部３５と溝部３５の間の光ガイド領域にも、図２乃至図４とは異なって上面と平行したプレート状を有する。
【０１０１】
このような導光板３０の溝部３５にはそれぞれ発光ダイオード２１が受容され、発光ダイオード２１は溝部３５の一側面に光を放出する。
【０１０２】
この際、発光ダイオード２１は、光を放出する側面との距離が反対側の側面との距離より近い。 
【０１０３】
このように、フラット型（ｆｌａｔ  ｔｙｐｅ；平坦形状）の導光板３０を形成する場合、構造が簡単なので容易に製造することができ、それぞれの溝部３５に発光ダイオード２１が固定され、発光ダイオード２１の固定が容易である。
【０１０４】
また、導光板３０の光ガイド領域が平らであるため、散乱パターン又はプリズムパターンなどの光学パターンを形成するのに用意である。
【０１０５】
このようなフラット状の導光板３０は複数の発光領域で分割されており、それぞれの発光領域の大きさは、該当発光領域に光を照射する発光ダイオード２１の数によって定義される。
【０１０６】
このような導光板３０は、発光領域ごとに分離されている本体を有するのではなく、一体型で形成されている。
【０１０７】
即ち、導光板３０は分割されている複数の発光領域を含んでいるが、これは物理的に分割されているわけではなく、該当発光領域に位置する発光ダイオード２１の駆動によるものである。
【０１０８】
このように、表示パネル６０の一つの画面に対応する導光板３０を分割して駆動しながら一体型で形成する場合、発光領域ごとに物理的に分離されて発生していた導光板３０の間の暗線が発生せず、締結部分が単純になるため、スリムなバックライトユニットの提供が可能である。
【０１０９】
このように、フラット状の溝部３５を有する一体型導光板３０を形成する場合、製造が単純化され、ローカルディミング、インパルシブなどのような分割駆動方式を提供して消費電力を節減できるだけでなく、画面コントラストを改善して表示装置の画質を改善することができる。
【０１１０】
以下では、図１１乃至図１２を参照して、本発明の第３実施例による表示装置について説明する。
【０１１１】
前記一体型導光板３０を位置決めするため、図２のようにボトムフレーム１０の側壁１２の間の距離が一体型導光板３０の幅と同じで、ボトムフレーム１０の側壁１２と一体型導光板３０が離隔距離なしに密着されて形成されることができ、一体型導光板３０がボトムフレーム１０内に差し込まれて結合されることで、一体型導光板３０が正確な位置に位置決めされることができる。 
【０１１２】
以下では、図５のように分割駆動を行う表示装置に一体型導光板３０を形成する場合、一体型導光板３０の溝部３１と発光ダイオード２１を正確に位置決めするため、一体型導光板３０をガイドするための位置決め手段の多様な適用例を図１３乃至図１７を参照して説明する。
【０１１３】
図１３は、第３実施例の位置決め手段に対する第２適用例を示す斜視図であり、図１４は、図１３の位置決め手段の上面図である。 
【０１１４】
図１１に示した第１適用例と異なって、第２適用例による表示装置は、ボトムフレーム１０の互いに向かい合う側壁１２の間の距離が一体型導光板３０の幅より広く、ボトムフレーム１０とボトムフレームの内部に受容される一体型導光板３０との間に所定の離隔距離（ｄ）が発生する。
【０１１５】
このような離隔距離に、一体型導光板３０をガイドする位置決め手段が形成されている。
【０１１６】
位置決め手段は、ボトムフレーム１０の側壁１２からボトムフレーム１０の内部に向かって突出されるガイド突起１２ａを含む。
【０１１７】
このようなガイド突起１２ａは、４つの側壁１２のうち向かい合う二つの側壁１２に形成されてもよく、４つの側壁１２に全て形成されてもよい。
【０１１８】
このようなガイド突起１２ａは、一つの側壁１２に対して少なくとも一つずつ形成されてもよく、複数個が形成されてもよい。  
【０１１９】
ガイド突起１２ａは、側壁１２と一体型導光板３０との間の離隔距離と同じ長さを有するように中央に向かって突出されており、ガイド突起１２ａの先端が一体型導光板３０の側面と接することで、一体型導光板３０を正確な位置にガイドする。
【０１２０】
このようなガイド突起１２ａは、図１３及び図１４に示したように、側壁１２から内部に曲がり入れられて形成されて三角形を有してもよく、これとは異なって、一体型導光板３０の側面と接する部分が面取りされていてもよい。
【０１２１】
このように、ボトムフレーム１０の側壁１２にガイド突起１２ａを形成して一体型導光板３０の位置を固定させることで、一体型導光板３０と下面に形成される複数個の発光ダイオード２１の位置決めを容易にすることができる。 
【０１２２】
図１５は、第１実施例の位置決め手段に対する第３適用例を示す断面図である。
【０１２３】
図１５に示した第３適用例の表示装置は、上述した第１実施例の表示装置に対して、導光板３０と導光板３０の下部のモジュール基板２０及びボトムフレーム１０に少なくとも一つの位置決め手段を含む。
【０１２４】
このような位置決め手段は、図１５に示したように、モジュール基板２０に形成されている少なくとも一つの基板ホール２０ａと、基板ホール２０ａと位置決めされ、ボトムフレーム１０の底面１１に形成されている少なくとも一つのフレームホール１１ａと、を含む。
【０１２５】
互いに位置決めされている基板ホール２０ａ及びフレームホール１１ａを通過しながらスクリュのようなボルトの結合部材１５が形成されており、ボトムフレーム１０の背面に結合部材１５と雌雄結合するナット１６が形成されている。
【０１２６】
このような結合部材１５は、モジュール基板２０のボルトヘッド１５ａが突出されており、導光板３０の下面には、ボルトヘッド１５ａを埋め込むボルト溝３６が形成されている。
【０１２７】
このように、少なくとも一つの位置決め手段が表示装置に形成され、ボルトヘッド１５ａを一体型導光板３０のボルト溝３６内に埋め込むことで、一体型導光板３０を決められた位置に位置決めさせることができる。
【０１２８】
図１６は、第１実施例の位置決め手段に対する第４適用例を示す断面図である。
【０１２９】
図１６を参照すると、表示装置は、上述した第１実施例の表示装置に対して、導光板３０と導光板３０の下部のボトムフレーム１０に少なくとも一つの位置決め手段を含む。
【０１３０】
このような位置決め手段は、図１６に示したように、ボトムフレーム１０に形成されている少なくとも一つの導光板溝１１ｂ及び一体型導光板３０の下面からボトムフレームに向かって突出されている導光板突起３２を含む。
【０１３１】
導光板溝１１ｂと導光板突起３２は、互いに位置決めされて導光板突起３２が導光板溝１１ｂに差し込まれて結合される。導光板突起３２は、一体型導光板３０を成形するとき一体に成形されてもよい。 
【０１３２】
導光板溝１１ｂと導光板突起３２が構成する位置決め手段は、表示装置に少なくとも一つが形成されており、一体型導光板３０の縁領域に形成されてもよい。 
【０１３３】
このように、導光板３０の下面に突起３２を形成し、突起３２をボトムフレーム１０に差し込んで結合することで、一体型導光板３０を位置決めする際、導光板３０の位置を正確に探すことができる。
【０１３４】
図１７は、第２実施例の位置決め手段に対する第５適用例を示す斜視図である。
【０１３５】
図１７を参照すると、第５適用例によると、表示装置は、発光領域以外の領域に位置する少なくとも一つのダミー発光ダイオード２３ａ、２３ｂを含む。
【０１３６】
このようなダミー発光ダイオード２３ａ、２３ｂは縁領域に形成され、光の放出方向と反対される領域に形成され、有効な発光ダイオード２１と同じモジュール基板２０の上に形成されてもよい。
【０１３７】
このようなダミー発光ダイオード２３ａ、２３ｂはモジュール基板２０の上に形成され、発光領域に光を放出する有効な発光ダイオード２１に対して行を外している。
【０１３８】
即ち、図１乃至図１６に示した有効な発光ダイオード２１は溝部３４で一行を形成しているに対し、ダミー発光ダイオード２３ａ、２３ｂは、有効な発光ダイオード２１の行から外して形成され、一体型導光板３０の溝部３４の引っ掛け突起として機能する。
【０１３９】
このような一体型導光板３０は、図１７のように行を成す発光ダイオード２１を同時に受容する溝部３４を有する場合、該当溝部３４に行を外して形成されるダミー発光ダイオード２３ａ、２３ｂが溝部３４の入射面と反対される側面に接するように形成されてもよい。
【０１４０】
これとは異なって、一体型導光板の溝部３４がそれぞれの発光ダイオード２１を受容する孤立されている溝部３４を含む場合、一体型導光板３０は、少なくとも一つのダミー発光ダイオード２３ａ、２３ｂに対応する溝部３４を更に含み、溝部３４内にダミー発光ダイオード２３ａ、２３ｂを受容することで、一体型導光板３０を決められた位置に位置決めさせることができる。
【０１４１】
図１１乃至図１７のように導光板３０を一体型で形成する際、一体型導光板３０の正確な位置を固定する基準点を形成することで、複数の発光ダイオード２１を一枚の導光板３０と位置決めすることで発生し得る位置ずれの問題を解決することができ、図１１乃至図１７に示されている多様な適用例は、一つの表示装置に複数で適用されてもよい。
【０１４２】
以上、本発明の実施例に対して詳しく説明したが、本発明の権利の範囲はこれに限るものではなく、次の特許請求の範囲において定義している本発明の基本概念を利用した当業者の様々な変形及び改良の形態もまた、本発明の権利の範囲内に属するものである。
【図１６】
0005762835.tif 000002
【図１】
0005762835.tif 000003
【図２】
0005762835.tif 000004
【図３】
0005762835.tif 000005
【図４】
0005762835.tif 000006
【図５】
0005762835.tif 000007
【図６】
0005762835.tif 000008
【図７】
0005762835.tif 000009
【図８】
0005762835.tif 000010
【図９】
0005762835.tif 000011
【図１０】
0005762835.tif 000012
【図１１】
0005762835.tif 000013
【図１２】
0005762835.tif 000014
【図１３】
0005762835.tif 000015
【図１４】
0005762835.tif 000016
【図１５】
0005762835.tif 000017
【図１７】
0005762835.tif 000018